(57)【要約】【課題】  電動モータを使用する必要が無く、電力を消費することのないエゼクタ式真空ポンプを得ること。【解決手段】  エゼクタ６の入口側に複数の液体圧送ポンプ１，２を接続し、エゼクタ６の出口側に液体タンク８を接続する。液体タンク８内に配置した液体流入管１６，１７にはそれぞれ高低差を設けて配置する。エゼクタ６の上方に副液体タンク５を接続し、副液体タンク５の下部に管路１１を接続してエゼクタ６の吸引口３内部のノズル側と接続する。  液体圧送ポンプ１，２を駆動させてエゼクタ６を作動させると共に、副液体タンク５内の液体を水頭圧によってエゼクタ６内を流下させることにより、電力を消費することがない安価なエゼクタ式真空ポンプとすることができる。【選択図】図１
2013130147.tif 000002
【特許請求の範囲】
【請求項１】
エゼクタのノズルに駆動流体としての液体を供給して、ノズル外周の吸引口から別途の流体を吸引するものにおいて、エゼクタの入口側に複数の液体圧送ポンプと、エゼクタの出口側に液体タンクを順次に配置すると共に、複数の液体圧送ポンプの液体流入口を、液体タンク内でそれぞれ高低差を設けて配置したことを特徴とするエゼクタ式真空ポンプ。
【発明の詳細な説明】
【技術分野】
【０００１】
本発明は、エゼクタとポンプ手段を組み合わせたエゼクタ式真空ポンプに関する。エゼクタ式真空ポンプは、ポンプ手段で流体をエゼクタ内に循環させることにより、エゼクタ部で真空吸引力を生じるものであり、低圧蒸気使用装置等からの復水吸引回収装置として従来から用いられている。
【背景技術】
【０００２】
従来のエゼクタ式真空ポンプは、渦巻きポンプと、この渦巻きポンプの吐出口と吸込口を結ぶ循環通路と、循環通路の途中に配置したエゼクタ及びタンクとで構成される。
【０００３】
上記従来のエゼクタ式真空ポンプでは、渦巻きポンプを駆動するために電動モータを作動しなければならず、この電動モータの作動に伴って比較的多くの電力を消費してしまう問題があった。また、各種プラントにおいては防爆域があり、このような防爆域では、電動モータを防爆仕様とするために多額のコストを要してしまう問題があった。
【先行技術文献】
【特許文献】
【０００４】
【特許文献１】特開平７−２５３１００号公報
【発明の概要】
【発明が解決しようとする課題】
【０００５】
解決しようとする課題は、電動モータの作動が不要で、電力を消費することのない安価なエゼクタ式真空ポンプを得ることである。
【課題を解決するための手段】
【０００６】
本発明は、エゼクタのノズルに駆動流体としての液体を供給して、ノズル外周の吸引口から別途の流体を吸引するものにおいて、エゼクタの入口側に複数の液体圧送ポンプと、エゼクタの出口側に液体タンクを順次に配置すると共に、複数の液体圧送ポンプの液体流入口を、液体タンク内でそれぞれ高低差を設けて配置したものである。
【発明の効果】
【０００７】
本発明は、複数の液体圧送ポンプのそれぞれの液体流入口を、液体タンク内でそれぞれ高低差を設けて配置したことにより、液体タンク内にたまった液体を複数の液体圧送ポンプから順次にエゼクタのノズルに供給することができ、電動ポンプが不要となり、電力を消費することがない安価なエゼクタ式真空ポンプとすることができる。
【図面の簡単な説明】
【０００８】
【図１】本発明のエゼクタ式真空ポンプの実施例を示す構成図。
【発明を実施するための最良の形態】
【０００９】
本発明は、エゼクタの出口側に液体圧送ポンプを配置するものであるが、液体圧送ポンプは、電動モータを使用することなく、高圧の圧縮空気や蒸気を圧送源として液体を圧送することができるものが好適である。
【実施例１】
【００１０】
本実施例においては、エゼクタ６の入口側に配置した複数の液体圧送ポンプ１，２と、エゼクタ６の出口側に配置した液体タンク８と、エゼクタ６の吸引口３と接続した流体吸引管４と、エゼクタ６の上方に配置した副液体タンク５を用いた例を示す。
【００１１】
エゼクタ６の出口側を管路９によって液体タンク８の上部と接続する。液体タンク８は、円筒状の密閉タンクであり、上部にはエアの排出を兼用できるオーバーフロー管１４と、液体タンク８へ冷却水を補給することのできる冷却水補給管１５をそれぞれ接続する。
【００１２】
流体吸引管４をエゼクタ６の吸引口３と接続する。流体吸引管４の左側端部を図示しない復水発生装置と接続する。エゼクタ６の吸引口３の内部には図示しないノズルを配置する。
【００１３】
液体タンク８の下方に２台の液体圧送ポンプ１，２を配置して、液体タンク８の内部に上端を開口した液体流入管１６，１７を介してそれぞれの液体流入口２５，３０と接続する。液体流入管１７は液体タンク８内の底部で上端を開口し、液体流入管１６は液体タンク８の上部で開口することによって、液体タンク８内でそれぞれ高低差を設けて配置する。
【００１４】
液体圧送ポンプ１は、液体流入口２５と液体流出口２６、及び、高圧圧送流体導入口２７と高圧圧送流体排出口２８を有し、また、液体圧送ポンプ２は、液体流入口３０と液体流出口３１、及び、高圧圧送流体導入口３２と高圧圧送流体排出口３３を有する。それぞれの液体流出口２６、３１は、それぞれ管路３４，３５によって、エゼクタ６の吸引口３内のノズルと接続する。
【００１５】
液体流入管１６，１７には、図示はしないが一方方向の流体の通過のみを許容する逆止弁を取り付ける。この逆止弁は、液体タンク８から液体圧送ポンプ１，２への流体の通過を許容し、反対方向の通過は阻止するものである。液体流出口２６，３１にも図示しない逆止弁を介して管路３４，３５を接続すると共に、高圧圧送流体導入口２７、３２には高圧蒸気源を接続する。また、高圧圧送流体排出口２８、３３は大気と連通する。
【００１６】
液体圧送ポンプ１，２は、内部に配置した図示しないフロートが下方部に位置する場合に、高圧圧送流体導入口２７、３２を閉口し、一方、高圧圧送流体排出口２８、３３を開口して、液体タンク８に溜まった液体を液体流入口２５、３０を通して液体圧送ポンプ１，２内に流下させる。そして、液体圧送ポンプ１，２内に液体が溜まって図示しないフロートが所定上方部に位置すると、高圧圧送流体排出口２８、３３を閉口し、一方、高圧圧送流体導入口２７、３２を開口して、高圧圧送用蒸気を内部に流入させることにより、内部に溜まった液体を液体流出口２６、３１からエゼクタ６へ圧送する。
【００１７】
液体が高圧蒸気で圧送されて液体圧送ポンプ１，２内の液位が低下すると、再度、高圧圧送流体導入口２７、３２を閉口し、高圧圧送流体排出口２８、３３を開口することにより、液体流入口２５、３０から液体を内部へ流下させる。このような作動サイクルを繰り返すことにより、液体圧送ポンプ１，２は液体タンク８からの液体をエゼクタ６へ圧送するものである。
【００１８】
液体圧送ポンプ１の液体流入管１７は液体タンク８内の底部で上端を開口し、液体圧送ポンプ２の液体流入管１６は液体タンク８の上部で開口して、液体タンク８内でそれぞれ高低差を設けて配置したことによって、液体タンク８の液位が低い場合は、液体圧送ポンプ１が駆動し、液体タンク８の液位が高い場合は、液体圧送ポンプ１と２が駆動して、長時間にわたってエゼクタ６へ液体が供給され、エゼクタ６で所定の真空吸引力を発生することができる。
【００１９】
エゼクタ６の上方で、且つ、液体タンク８の上部に副液体タンク５を配置する。副液体タンク５には、管路９を分岐した分岐管１０でエゼクタ６と接続する。分岐管１０にはバルブ１２を取り付ける。このバルブ１２の弁開度を調節することで、エゼクタ６から吐出された液体の一部を副液体タンク５に溜め置くことができるものである。副液体タンク５の下部に管路１１を接続してエゼクタ６の吸引口３内部のノズル側と接続する。副液体タンク５に溜まった液体が、エゼクタ６までの高さに相当する水頭圧によってエゼクタ６のノズル内を流下して、その速度エネルギーに応じた真空吸引力を発生し、吸引口３から流体吸引管４内の所定の流体を吸引するものである。
【００２０】
副液体タンク５からエゼクタ６へ液体を供給するのは、液体圧送ポンプ１，２からの吐出がとぎれた場合に実施することが、エゼクタ６の真空吸引力を連続的に発生されるためには効果的である。
【００２１】
液体圧送ポンプ１，２を駆動させてエゼクタ６を作動させると共に、副液体タンク５内の液体を水頭圧によってエゼクタ６内を流下させることにより、電動モータを駆動する必要がなく、従って、電力を消費することがない安価なエゼクタ式真空ポンプとすることができる。
【産業上の利用可能性】
【００２２】
本発明は、流体をエゼクタ内に循環させることにより、エゼクタ部で真空吸引力を生じるものであり、低圧蒸気使用装置等からの復水吸引回収装置などに利用することができる。
【符号の説明】
【００２３】
１，２
液体圧送ポンプ
３  吸引口
４  流体吸引管
５  副液体タンク
６  エゼクタ
８  液体タンク
９  管路
１０  分岐管
１６，１７  液体流入管
２５，３０  液体流入口
２６，３１  液体流出口
３４，３５  管路
【図１】
2013130147.tif 000003